(57)【特許請求の範囲】
【請求項１】
外側の屋根板と内側の内装板とからなる車両天井に取り付けられる車両用空気清浄器において、
前記車両用空気清浄器は、互いに接続される上部と下部とを備え、
前記内装板には、開口部が設けられており、前記上部は、前記開口部の内側に配置され、前記下部は、前記内装板の車室側の側面に当接し、
前記接続部に形成された間隙部を通して前記空気清浄器の内部から外部へ流れる空気流を前記屋根板と前記内装板の間の空間部に向けるために、前記空間部に向けて延びているリブが前記下部の外面に設けられていることを特徴とする車両用空気清浄器。
【請求項２】
前記リブが前記開口部の内側に設けられていることを特徴とする請求項１に記載の空気清浄器。
【請求項３】
前記リブが前記接続部全体において垂直上方に延びていることを特徴とする請求項１又は２に記載の空気清浄器。
【発明の詳細な説明】
【０００１】
【発明の属する技術分野】
本発明は空気清浄器に関する。とりわけ、本発明は車両用空気清浄器に関する。
【０００２】
【従来の技術】
従来、天吊式車両用空気清浄器として、吸込口及び吹出口をそれぞれ一つずつ有する空気清浄器が公知である。この空気清浄器は、正面の吸込口の直下流に除塵フィルタが配置され、側面の吹出口の直上流に脱臭フィルタが配置された構成となっている。しかしながら、この空気清浄器は、送風機と除塵フィルタを高さ方向に直列に配置する必要と、空気流れの圧損量を低減するために側面の脱臭フィルタの大きな面積を確保する必要から、空気清浄器の側面を大きくせざるをえず、空気清浄器の高さ寸法が大きくなってしまう。
【０００３】
このように天吊式車両用空気清浄器の高さ寸法が大きいと車室の空間が狭くなって乗員にとっては不快であるので空気清浄器を薄くすることが望まれていた。そこで、圧損量を低減すると共に薄い空気清浄器を構成するために、例えば特開２００１−１０５８４８号公報では、一つの吸込口を正面に有する中央のスクロール部と、スクロール部の両側に配置された一つの吹出口を有する吹出し部とを備えた構成となっている。このようにフィルタ部とモータを高さ方向に並列に配置した構成により、空気清浄器の高さ寸法を低減すると共に、より大きなフィルタ面積を確保することにより、圧損量を低減している。
【０００４】
ところで、本願発明者は、空気清浄器を上側部材と下側部材とから構成し、空気清浄器の組付けとしては、最初に、内装板に設けられた開口部を通して、上側部材を外側の屋根板と内側の内装板からなる天井の間の空間部において車両横断方向に延びているリインフォースメントにブラケットを介して固定し、次に、空気清浄器の下側部材をすでに固定されている上側部材に螺着することを考えている。なお、この組付け完了時には、空気清浄器の上側部材の周囲と下側部材の周囲は、嵌合によって接続される。
【０００５】
【発明が解決しようとする課題】
しかしながら、この嵌合部に形成される間隙部は、二つの部材を下から上に組付ける構成のため、空気清浄器本体内部から外部に向けて径外方向に延びている。したがって、空気清浄器の運転中、この間隙部を通って清浄器の外に流れた空気流が、屋根板と内装板の間の空間部にある埃や粉塵を取り込んで、内装板の開口部を通して車両室内に流れ込んで車室内の天井を汚してしまうということが懸念されている。そこで、車室の天井部を清潔に保つことを保証することが望まれている。
【０００６】
本発明は、上記問題に鑑みてなされたものであり、その目的は、天井部を清潔に保つ車両用空気清浄器を提供することである。
【０００７】
【課題を解決するための手段】
本発明は、課題を解決するための手段として、特許請求の範囲の各請求項に記載の車両用空気清浄器を提供する。
請求項１に記載の車両空気清浄器によれば、外側の屋根板と内側の内装板とからなる車両天井に取り付けられる車両用空気清浄器において、車両用空気清浄器は、互いに接続される上部と下部とを備え、内装板には、開口部が設けられており、上部は、開口部の内側に配置され、下部は、内装板の車室側の側面に当接し、接続部に形成された間隙部を通して空気清浄器の内部から外部へ流れる空気流を屋根板と内装板の間の空間部に向けるために、空間部に向けて延びているリブが下部の外面に設けられている。これにより、空気清浄器の接続部において外部に向う空気流が発生したとしても、車室内に向けて空気が流れず、屋根板と内装板の間にある塵が車室内に流れ込むことがない。
【０００８】
請求項２に記載の車両空気清浄器によれば、リブが開口部の内側に設けられている。
【０００９】
請求項３に記載の車両空気清浄器によれば、リブが接続部全体において垂直上方に延びている。
【００１０】
【発明の実施の形態】
以下、本発明の実施例について添付図面を参照して説明する。最初に本発明の車両用空気清浄器の概略構成について説明する。図１は車両の天井に取り付けた状態の本発明の車両用空気清浄器の断面図である。１は本発明の車両用空気清浄器を全体的に示している。空気清浄器１は、請求項１中の「上部」に対応する上側の本体２と「下部」に対応する下側のカバー（グリル）３で主に構成され、本体２とカバー３を組み付けた状態で内部において以下に説明する構成要素を保持する。なお、本体２及びカバー３は共にＡＢＳ等の樹脂でつくられている。
【００１１】
車両用空気清浄器１の組み付けは、最初に、内側の内装板（天井）８に設けられた開口８１を通して、内装板（天井）８と外側の屋根板９との間の空間部９１において車両横断方向に延びているリインフォースメント（図示せず）にブラケット（図示せず）を介して本体２を空間部９１内に固定し、次に、カバー３の周縁部が内装板８に当接するように、カバー３をこの本体２にネジ等で締結することによって完了する。
【００１２】
次に本発明の車両用空気清浄器の内部構成について説明する。図１に示すように、車両用空気清浄器１は、中央において吸込口１１から空気を吸い込む中央のスクロール部２１と、スクロール部２１の両側において一つの吹出口１２から空気を吹き出す二つの吹出し部２２とで構成されている。また、空気通路１３は、スクロール部２１の外面に設けられた吸込口１１から送風機５まで延びている上流空気通路１３ａと、送風機５から各吹出し部２２の外面に設けられた吹出口１２まで延びている二つの下流空気通路１３ｂとで構成されている。
【００１３】
スクロール部２１の中央には、空気を吸込口１１から吸い込んで下流空気通路１３ｂに送風する送風機５が配置されている。この送風機５は、ファン５２と、ファン５２を駆動するブラシレスモータ５１とを備えている。このファン５２は、回転軸方向、すなわち、上流空気通路１３ａから空気を吸入して径外方向に向けて吹き出す遠心式のファンである。
【００１４】
また、下流空気通路１３ｂには、上流から、ひだ折りした不織布により空気中の塵を捕捉する除塵フィルタ６と、ハニカム担体に添着された活性炭により空気中の臭いを除去する脱臭フィルタ７が配置されている。これらフィルタ６及び７は、着脱自在にカバー３に取り付けられているフィルタカバー４を取り外して下流空気通路１３ｂを開放することによって交換することができる。
【００１５】
以上の構成により、吸込口１１から上流空気通路１３ａを通して空気が吸い込まれ、送風機５付近で二つの下流空気通路１３ｂのいずれかに分配され、下流空気通路１３ｂ中の除塵フィルタ６と脱臭フィルタ７を通して吹出口１２から空気が吹き出される。
【００１６】
ところで、上記構成の空気清浄器は、図２に示すように、上側の本体２の周囲と下側のカバー３の周囲は嵌合によって接続すると、この嵌合部２３には、カバー３を下から組付ける構成であるので、空気清浄器の内部から外部に向けて径外方向に延びている間隙部２４が形成されている。そのため、空気清浄器１の運転中、図２において矢印Ａで示されているように、嵌合部２３の間隙部２４を通して空気流が発生し、この空気流が、屋根板９と内装板８の間の空間部の埃や粉塵を取り込んで、開口部８１を通り、さらにカバー部３と内装板８の車室側の側面との間の領域を通して車室内に流れ込んで車室の天井を汚してしまうということが懸念されている。
【００１７】
そこで、車両室の天井部を清潔に保つことを保証するため、本発明では、以下に説明するように、前述の空気流を車室内に流れ込ませない手段を提供している。図３は本発明の空気清浄器の吹出し部の嵌合部の拡大図である。図３に示すように、カバー３には、嵌合部２３の直下流位置において、屋根板９に向けて延びている板状のリブ２５が嵌合部２３の全長にわたって設けられている。
【００１８】
このような構成により、嵌合部２３の間隙部２４を通した空気流が発生しても、図３において矢印Ｂで示されるように、空気流の流れ方向がリブ２５によって屋根板９に偏向させられるため、内装板８の方向に空気流が流れるのを阻止することができる。
【００１９】
間隙部２４を通る空気流を効果的に空間部９１に偏向させるために、カバー３に設けるリブ２５の位置を開口部８１よりも内側とするのが好ましい。また、リブ２５の延びている方向は、好ましくは垂直上方である。
【図面の簡単な説明】
【図１】車両の天井に取り付けた状態の本発明の車両用空気清浄器の断面図である。
【図２】本発明の空気清浄器の吹出し部の拡大断面図である。
【図３】本発明の空気清浄器の改良した吹出し部の拡大断面図である。
【符号の説明】
１…車両用空気清浄器
２…本体
３…カバー
８…内装板
９…屋根板
【図１】
0003753053.tif 000002
【図２】
0003753053.tif 000003
【図３】
0003753053.tif 000004